(57)【要約】【課題】衣類を吊したり取り外したりする作業が容易で乾燥効果にも勝れ、吊した衣類の落下も生じにくいハンガーを提供する。【解決手段】衣類を吊すためのハンガー本体３と、吊掛用のフック部材４とからなり、上記ハンガー本体３がスポンジ体により形成されていて、弾力的に屈伸自在であると共に、前後方向の幅Ｗが高さＨよりも大きく形成され、かつ中央部に横孔部分５ａと縦孔部分５ｂとからなる十字状の取付孔５を有し、上記フック部材４が、上記取付孔５に嵌合する嵌合部９を有し、この嵌合部９を上記横孔部分５ａと縦孔部分５ｂとに選択的に嵌合させることによってフック部材４の向きが９０度変更可能である。【選択図】図１
2009178294.tif 000002
【特許請求の範囲】
【請求項１】
衣類を吊すための横に細長い板状をしたハンガー本体と、該ハンガー本体の中央部に取り付けられた吊掛用のフック部材とからなり、
上記ハンガー本体は、スポンジ体により形成されていて、弾力的に屈伸自在であると共に、前後方向の幅が高さよりも大きく形成され、かつ中央部に上記フック部材を取り付けるための取付孔を有し、
上記フック部材は、上記取付孔からハンガー本体の上方に延出する鉤部と、該鉤部の下端に一体に連設されて上記取付孔内に嵌合する嵌合部と、該嵌合部の下端に一体に連設されて上記ハンガー本体の下面中央部に当接し、該ハンガー本体の中央部及びその近傍での屈曲を制限する円形又は矩形の板状をしたベース部とを有し、上記取付孔内で回転させることによって吊り掛けのための向きを変更可能である、
ことを特徴とするスポンジ製ハンガー。
【請求項２】
上記取付孔は、ハンガー本体の長さ方向に延びる横孔部分と幅方向に延びる縦孔部分とが交差する十字状の孔であり、また、上記フック部材の嵌合部が長方形のブロック状をしていて、この嵌合部を上記縦孔部分と横孔部分とに選択的に嵌合させることによってフック部材の向きが９０度変更可能であることを特徴とする請求項１に記載のスポンジ製ハンガー。
【請求項３】
上記ハンガー本体は、全長にわたり均一な幅と均一な高さとを有しており、また、上記ベース部が円形又は正方形をなしていて、その直径又は一辺の長さは、上記ハンガー本体の幅と等しいかそれより僅かに小さく形成され、該ベース部によって上記取付孔全体が完全に覆われていることを特徴とする請求項１又は２に記載のスポンジ製ハンガー。
【請求項４】
上記ハンガー本体の長さ方向両側に寄った位置に、肩紐付きの衣類の該肩紐を係止させた状態で吊すための切欠が形成されていることを特徴とする請求項１から３の何れかに記載のスポンジ製ハンガー。
【発明の詳細な説明】
【技術分野】
【０００１】
本発明は、ＴシャツやＹシャツ等の比較的軽量の衣類を吊して干すのに好適に使用されるスポンジ製のハンガーに関するものである。
【背景技術】
【０００２】
洗濯した衣類を干す際に吊すハンガーは、一般に、合成樹脂や針金などによって三角枠状に形成されている。このような三角枠状のハンガーに例えばＴシャツを吊す場合には、該ハンガーをＴシャツの内部に襟を通じて差し込むと共に、該ハンガーの両端をＴシャツの袖に通した状態にして吊すが、該ハンガーをＴシャツの内部に差し込む際に、濡れたＴシャツは重くなっていて広がりにくいため、つい襟元を強く引っ張ることによって生地を伸ばしてしまい、型崩れさせ易いという問題がある。乾いたＴシャツをハンガーから取り外す際にも、襟を広げるために同様の問題が生じ易い。
【０００３】
また、上述した従来のハンガーは、三角枠の表裏方向の幅（厚さ）が非常に薄いため、衣類を吊したとき該衣類の前身頃と後ろ身頃とが殆ど接触した状態とり、通気性が阻害されることによって乾きが遅いという欠点もある。
更に、吊した衣服が乾くと、軽くなると同時にハンガーに対して滑りやすくなるため、該衣類が風に吹かれて揺れ動いたとき、ハンガーから地面に滑り落ちて汚れるといった問題も多く発生している。
【発明の開示】
【発明が解決しようとする課題】
【０００４】
本発明の目的は、上述した従来の三角枠状のハンガーが有する欠点がなく、衣類を吊したり取り外したりする作業が容易で乾燥効果にも勝れ、吊した衣類の落下も生じにくいといった利点を有するハンガーを提供することにある。
【課題を解決するための手段】
【０００５】
上記課題を解決するため本発明のスポンジ製ハンガーは、衣類を吊すための横に細長い板状のハンガー本体と、該ハンガー本体の中央部に取り付けられた吊掛用のフック部材とからなり、上記ハンガー本体は、スポンジ体により形成されていて、弾力的に屈伸自在であると共に、前後方向の幅が高さよりも大きく形成され、かつ中央部に上記フック部材を取り付けるための取付孔を有し、上記フック部材は、上記取付孔からハンガー本体の上方に延出する鉤部と、該鉤部の下端に一体に連設されて上記取付孔内に嵌合する嵌合部と、該嵌合部の下端に一体に連設されて上記ハンガー本体の下面中央部に当接し、該ハンガー本体の中央部及びその近傍での屈曲を制限する円形又は矩形の板状をしたベース部とを有し、上記取付孔内で回転させることによって吊り掛けのための向きを変更可能であることを特徴とするものである。
【０００６】
本発明において好ましくは、上記取付孔が、ハンガー本体の長さ方向に延びる横孔部分と幅方向に延びる縦孔部分とが交差する十字状の孔であり、また、上記フック部材の嵌合部が長方形のブロック状をしていて、この嵌合部を上記縦孔部分と横孔部分とに選択的に嵌合させることによってフック部材の向きが９０度変更可能とされていることである。
【０００７】
上記ハンガー本体は、全長にわたり均一な幅と均一な高さとを有しており、また、上記ベース部が円形又は正方形をなしていて、その直径又は一辺の長さは上記ハンガー本体の幅と等しいかそれより僅かに小さく形成され、該ベース部によって上記取付孔全体が完全に覆われていることが望ましい。
本発明においては、上記ハンガー本体の長さ方向両側に寄った位置に、肩紐付きの衣類の該肩紐を係止させた状態で吊すための切欠が形成されていても良い。
【発明の効果】
【０００８】
上記ハンガーにＴシャツなどの衣類を吊して干す際に、スポンジ体からなるハンガー本体を２つに折り曲げた状態で襟から衣類の内部に差し込んだあと、折り曲げ状態から解放すると、該ハンガー本体が弾性力により伸長して衣類がハンガーに吊り下げられた状態になる。また、乾いた衣類をハンガーから外すときも、上記ハンガー本体を２つに折り曲げることにより、衣類は該ハンガー本体から外れてその場に落下する。従って、衣類を吊したり取り外したりする作業が非常に簡単で、片手でもその作業を容易に行うことができ、従来のように襟を強く引っ張りすぎて形崩れさせる心配もない。
また、上記ハンガー本体が板状をなしていて、前後方向の幅が高さよりも大きく形成されているため、衣類を吊したとき該衣類の前身頃と後ろ身頃との間に広い空間が形成されることになり、風通しが非常に良くなって乾き易いという利点もある。
更に、上記ハンガー本体がスポンジ体で形成されていて、摩擦抵抗が大きいため、吊した衣類が風に吹かれて揺れ動いたとしても、ハンガーから滑り落ちるというようなことがない。
【発明を実施するための最良の形態】
【０００９】
図は本発明に係るスポンジ製ハンガーの一実施形態を示すものである。このハンガー１は、ＴシャツやＹシャツといったような比較的軽量の衣類２（図５参照）を吊して干すのに適したもので、図１〜図４に示すように、上記衣類２を掛けるための横に細長く延びる板状のハンガー本体３と、該ハンガー本体３の中央部に着脱自在かつ向きを変更可能なるように取り付けられた吊掛用のフック部材４とで構成されている。
【００１０】
上記ハンガー本体３は、海綿状をしたゴム製又は合成樹脂製のスポンジ体により、上面３ａ及び下面３ｂが何れも平坦である平板の形に形成されていて、弾力的に屈伸自在であると共に、中央部に上記フック部材４を取り付けるための取付孔５を有している。このハンガー本体３は、単層のスポンジ体で形成されていても、複数層のスポンジ体を積層して相互に貼り合わせることにより形成されていても良い。複数層のスポンジ体で形成する場合、各層でスポンジ体の弾性力を違えることもできる。
【００１１】
上記ハンガー本体３は、その前後方向の幅Ｗ及び上下方向の高さＨが該ハンガー本体３の全長にわたりほぼ一定で、上記幅Ｗが高さＨよりも大きく形成されており、また、該ハンガー本体３の長さＬ方向の両端３ｃは、外に向けて滑らかな凸形にカーブする弧状に形成されている。図示した例では、ハンガー本体３の幅Ｗが高さＨの約４倍程度に形成されているが、その倍率の好ましい範囲は通常２〜５倍程度である。また、上記ハンガー本体３の好ましい一つの寸法例は、その長さＬが約４００ｍｍ、幅Ｗが約６０ｍｍ、高さＨが約１５ｍｍである。しかし、これ以外の寸法であっても良いことはもちろんである。
【００１２】
また、上記取付孔５は、ハンガー本体３の長さＬ方向に延びる横孔部分５ａと幅方向Ｗに延びる縦孔部分５ｂとが交差する十字状の孔であり、このような十字状をした取付孔５が、上記ハンガー本体３を高さ方向に貫通するように形成されている。上記横孔部分５ａと縦孔部分５ｂとにおける孔幅Ｍ同士及び孔長Ｎ同士は互いに等しい。
【００１３】
一方、上記フック部材４は、上記取付孔５からハンガー本体３の上方に延出する鉤部８と、該鉤部８の下端部に形成されて上記取付孔５内に嵌合する嵌合部９と、この嵌合部９の下端に一体に連設されて上記ハンガー本体３の下面３ｂの中央部に当接、係止する板状のベース部１０とを有するもので、これらの鉤部８と嵌合部９とベース部１０とが、合成樹脂で一体に形成されている。
上記鉤部８は、ハンガー１を物干し竿や物干し用ロープ等に吊り掛けるためのもので、疑問符形に湾曲しており、該鉤部８の中央部には、物干し用ロープに吊り掛けた際に該物干し用ロープが嵌合する窪み８ａが形成されている。
【００１４】
また、上記嵌合部９は、ベース部１０の上面中央部を一方向に延びる細長い長方形のブロック状をしており、該嵌合部９の幅ｍは、上記取付孔５に嵌合可能なるように、上記横孔部分５ａ及び縦孔部分５ｂの孔幅Ｍとほぼ同じかそれより僅かに小さく形成され、該嵌合部９の長さｎは、上記横孔部分５ａ及び縦孔部分５ｂの孔長Ｎとほぼ同じかそれより僅かに小さく形成され、該嵌合部９の高さｈは、上記取付孔５の深さ即ちハンガー本体３の高さＨと同程度かそれより若干大きくあるいは小さく形成されている。そして、この嵌合部９を上記縦孔部分５ｂと横孔部分５ａとに選択的に嵌合させることにより、上記鉤部８の向き即ちフック部材４の向きを、図１に示す横向きと図５に示す縦向きとに９０度変更できるようになっている。
【００１５】
更に、上記ベース部１０は、矩形好ましくは正方形をなしていて、その１辺の長さが上記ハンガー本体３の幅Ｗと等しいかそれより僅かに小さく形成されており、該ベース部１０によって上記取付孔５全体が完全に覆われている。そして、このベース部１０が上記ハンガー本体３の下面３ｂの中央部付近に当接することにより、該ハンガー本体３の中央部及びその近傍における屈曲が制限され、それによって該ハンガー本体３の弾性が高められている。
【００１６】
上記構成を有するハンガー１にＴシャツなどの衣類２を吊して干す場合には、先ず、上記フック部材４の向きを、図１の横向きか図４の縦向きに調整する。この調整は、該フック部材４を、その嵌合部９が取付孔５から外れる位置までハンガー本体３の下面３ｂ側に押し下げ、その状態で該フック部材４を回転させて嵌合部９の向きを横孔部分５ａか又は縦孔部分５ｂの向きに合わせたあと、フック部材４を引き上げて該嵌合部９を目的の孔部分に嵌合させると共に、更にフック部材４を引き上げてベース部１０をハンガー本体３の下面３ｂに当接させることにより行う。
【００１７】
次に、図５に示すように、スポンジ体からなる上記ハンガー本体３を２つに折り曲げ、その状態でこのハンガー本体３を襟から衣類２の内部に差し込んだあと、折り曲げ状態から解放する。そうすると、図６に示すように、該ハンガー本体３が弾性力により伸長して両端が袖内に挿入され、衣類２がハンガー１に吊り下げられた状態になる。従って、衣類２を吊す作業が非常に簡単で、片手でも容易に行うことができ、従来のように衣類２の襟を強く引っ張り過ぎて型崩れさせるおそれがない。
【００１８】
このようにして衣類２が吊り下げられたハンガー１は、上記フック部材４の鉤部８によって物干し竿や物干し用ロープ等に吊り掛けられる。
このとき、上記ハンガー本体３は、その中央部及びその近傍が上記フック部材４の板状をしたベース部１０によって比較的広い範囲で支持され、中央部付近での屈曲が制限されることによって弾性が高められているため、濡れて重くなった衣類２の重量が該ハンガー本体３に作用しても、上記ベース部１０の補強効果によって該ハンガー本体３が必要以上に湾曲することがない。また、湾曲による取付孔５の広がりなどの変形も起きないため、変形した取付孔５からフック部材４が抜け出すといった不都合も生じない。
【００１９】
また、上記ハンガー本体３は板状に形成されていて、前後方向の幅Ｗが大きいため、衣類２を吊したとき該衣類２の前身頃と後ろ身頃との間に広い空間が形成され、風通しが非常に良好になって洗濯物の乾きが早くなる。
更に、上記ハンガー本体３がスポンジ体で形成されているため、衣類２との間の摩擦抵抗が大きく、従って、吊した衣類２が風に吹かれて揺れ動いたとしても、ハンガー１から滑り落ちることがない。
【００２０】
干した衣類２が乾燥すると、該衣類２をハンガー１から取り外すが、その際、図７に示すように、ハンガー本体３を２つに折り曲げることにより、衣類２は該ハンガー本体３から外れてその場に落下する。従って、上記ハンガー１を物干し竿や物干し用ロープ等に吊り掛けた状態のまま衣類２のみを取り込む場合でも、ハンガー毎取り込んだあと衣類２を該ハンガー１から取り外す場合でも、その作業が非常に容易で、片手で簡単に行うことができる。
【００２１】
上記ハンガー本体３には、図２に鎖線で示すように、取付孔５に対して長さ方向両端側に寄った位置に、それぞれ係止用の切欠１２を形成しておくこともできる。このような切欠１２を形成しておけば、図８に示す如く、キャミソールのような肩紐２ａがついた衣類２を、その肩紐２ａをこの切欠１２に係止させた状態で吊して干すことができる。上記切欠１２は、上記ハンガー本体３の前縁と後縁との相対する位置に形成されていて、Ｕ字状をなしているが、前縁又は後縁の何れか一方だけに形成しても良く、また、その形状もＵ字状に限らず、コ字状であっても、Ｖ字状であっても良い。あるいは、ハンガー本体３の上面に幅方向に延設した溝であっても良い。
【００２２】
なお、図示した実施例では、フック部材４のベース部１０が矩形をなしているが、該ベース部１０の形状は円形であっても良い。この場合、該ベース部１０の直径は、上記ハンガー本体３の幅Ｗと等しいかそれより僅かに小さく形成される。
また、ハンガー本体３の取付孔５が横孔部分５ａと縦孔部分５ｂとによって十字状に形成され、フック部材４にこれらの横孔部分５ａ又は縦孔部分５ｂに選択的に嵌合、係止する角形の嵌合部９が形成されているが、これらの取付孔５と嵌合部９とを何れも円形に形成し、相互間の摩擦力でフック部材４を必要な向きに係止させるように構成することも可能である。
【００２３】
更に、上記ハンガー本体３には、その弾性を高めて衣類を吊したときの変形をより生じにくくするため、該ハンガー本体３の中央部分の上面又は下面あるいは上下両面に、弾性ある合成樹脂製の補助板を接着等の手段で部分的に取り付けることもできる。この補助板のハンガー本体３の長さＬ方向に沿った寸法は、上記フック部材４におけるベース部１０の同方向寸法より長いが、その好ましい最大長さは、通常は、ハンガー本体３の長さＬの大体１／３程度である。上記ハンガー本体３が複数層のスポンジ体を積層して形成されているときは、一部又は全部の層間にこのような補助板を介在させることも可能である。
【図面の簡単な説明】
【００２４】
【図１】本発明に係るハンガーの斜視図である。
【図２】上記ハンガーの下面図である。
【図３】上記ハンガーをハンガー本体とフック部材とを分離させた状態で示す斜視図である。
【図４】図１のハンガーのフック部材の向きを変更した場合の斜視図である。
【図５】上記ハンガーに衣類を吊す途中の状態を示す斜視図である。
【図６】上記ハンガーに衣類を吊したときの状態を示す斜視図である。
【図７】上記ハンガーから衣類を取り外すときの状態を示す斜視図である。
【図８】本発明に係るハンガーの異なる使用状態を示す斜視図である。
【符号の説明】
【００２５】
１      ハンガー
２      衣類
２ａ      肩紐
３      ハンガー本体
３ｂ      下面
４      フック部材
５      取付孔
５ａ      横孔部分
５ｂ      縦孔部分
８      鉤部
９      嵌合部
１０      ベース部
１２      切欠
Ｗ      幅
Ｈ      高さ
【図１】
2009178294.tif 000003
【図２】
2009178294.tif 000004
【図３】
2009178294.tif 000005
【図４】
2009178294.tif 000006
【図５】
2009178294.tif 000007
【図６】
2009178294.tif 000008
【図７】
2009178294.tif 000009
【図８】
2009178294.tif 000010